(57)【特許請求の範囲】
【請求項１】
骨にタップ深さを制御してタップを立てる骨用タップ治具であって、ハンドル部から突き出す軸部の前端にタップ部を設けたタップ治具本体と、タップ深さ制御用筒体とを具備し、タップ治具本体の軸部にタップ深さ制御用筒体を外嵌してタップ深さ制御用筒体の内面とタップ治具本体の軸部の外面を少なくとも二箇所で接触させ、その摩擦抵抗でタップ深さ制御用筒体を脱落しないように仮止めした状態で脱着可能に挿着して、タップ深さ制御用筒体の後端をタップ治具本体のハンドル部の前端又は軸部外面に形成した当止部に前方から当止させると共に、タップ深さ制御用筒体の前端開口からタップ治具本体のタップ部を所定寸法だけ突出させたことを特徴とする骨用タップ治具。
【請求項２】
タップ深さ制御用筒体を僅かに湾曲させ、該筒体の凹曲側内面の一箇所と、凸曲側内面の上記箇所より前方及び後方にそれぞれ位置する二箇所を、タップ治具本体の軸部の外面に接触させたことを特徴とする請求項１に記載の骨用タップ治具。
【請求項３】
タップ深さ制御用筒体の内面又はタップ治具本体の軸部の外面に、一対の凸部を周方向に１８０°の間隔をあけて形成し、該凸部をタップ治具本体の軸部の外面又はタップ深さ制御用筒体の内面に接触させたことを特徴とする請求項１に記載の骨用タップ治具。
【発明の詳細な説明】
【技術分野】
【０００１】
本発明は骨用タップ治具に関し、更に詳しくは、タップ深さを制御してタップを立てることができる骨用タップ治具に関する。
【背景技術】
【０００２】
近年、金属製の骨接合ネジと骨接合プレートに代えて、ポリ乳酸などの生体内分解吸収性ポリマーからなる骨接合ネジと骨接合プレートを使用し、頭蓋骨など生体骨の骨折部位や骨切部位の骨接合を行うのが一般的になってきた。その場合には、骨折部位や骨切部位の生体骨にドリルで穴をあけ、その内面に骨用タップ治具でタップをきって、骨接合ネジをねじ込むネジ穴を形成する必要がある。
【０００３】
そのような骨用タップ治具の一例として、軸部の先端側に特定のネジ穴を切ることができるネジ切り部を設け、軸部の後端に回転用バーハンドルを設けたＴ字形の骨用タップ治具が知られている（特許文献１）。
【０００４】
また、他の例として、切削用ネジ山を有するシャフトと、シャフトの軸線に沿って並進可能に形状決め及び寸法決めされ、切削用ネジ山の有効長さを調節するストップカラーと、ストップカラーに係合するように形状決め及び寸法決めされ、シャフトの軸線方向にストップカラーが移動するのを防止するロックカラーとからなるタップ組立体も知られている（特許文献２）。
【先行技術文献】
【特許文献】
【０００５】
【特許文献１】特開平１０−２７２１４１号公報
【特許文献２】特表２００６−５０６１３１号公報
【発明の概要】
【発明が解決しようとする課題】
【０００６】
しかしながら、前記特許文献１の骨用タップ治具はタップ深さを制御する手段を持たないため、以下のような問題があった。即ち、頭蓋骨の骨切部位を接合する場合を例にとって説明すると、先ず、骨切部位の頭蓋骨にドリルで穴をあけるときには、ドリルが頭蓋骨を貫通して頭蓋骨の下側の髄膜や脳を損傷することがないように、頭蓋骨の骨切部位の隙間から骨切部位の下側に金属片を挿入してドリルで穴をあける。次いで、頭蓋骨の骨切部位を隙間なく合わせ、その上に重ねた骨接合プレートの穴から骨用タップ治具のネジ切り部を頭蓋骨の穴にねじ込んでタップを切るのであるが、このときには骨切部位を隙間なく合わせて骨接合プレートを重ねているので、ドリルで穴をあけるときのように貫通防止用の金属片を頭蓋骨の下側に挿入することができない。そのため、前記特許文献１のようにタップ深さを制御する手段を持たない骨用タップ治具でタップを切ると、誤って先端のネジ切り部が頭蓋骨の穴を突き抜けて頭蓋骨の下側の髄膜や脳を損傷する危険があった。
【０００７】
これに対し、前記特許文献２のようにシャフトの切削用ネジ山の有効長さを調節するストップカラーと、ストップカラーの移動を防止するロックカラーを備えたタップ組立体は、ストップカラーによってタップ深さを制御できるため、上記のような問題は生じない。けれども、このタップ組立体は、タップ作業の都度、切削用ネジ山が所定の有効長さとなるようにストップカラーの位置を決め、ロックカラーでストップカラーを固定して組立てる必要があるため、この組立作業が面倒という問題があり、しかも、タップ作業後には分解して、掃除がし辛い複雑な形状のストップカラーやロックカラーを掃除する必要があるため、この分解、掃除作業も面倒という問題があった。
【０００８】
本発明は上記事情の下になされたもので、その解決しようとする課題は、タップ深さを制御できるためタップ部（ネジ切り部）で下方の生体軟組織を傷つける危険性がなく、しかも、タップ作業前の組立作業やタップ作業後の分解、掃除作業を簡単に行うことができる骨用タップ治具を提供することにある。
【課題を解決するための手段】
【０００９】
上記の課題を解決するため、本発明に係る骨用タップ治具は、骨にタップ深さを制御してタップを立てる骨用タップ治具であって、ハンドル部から突き出す軸部の前端にタップ部（ネジ切り部）を設けたタップ治具本体と、タップ深さ制御用筒体とを具備し、タップ治具本体の軸部にタップ深さ制御用筒体を外嵌してタップ深さ制御用筒体の内面とタップ治具本体の軸部の外面を少なくとも二箇所で接触させ、その摩擦抵抗でタップ深さ制御用筒体を脱落しないように仮止めした状態で脱着可能に挿着して、タップ深さ制御用筒体の後端をタップ治具本体のハンドル部の前端又は軸部外面に形成した当止部に前方から当止させると共に、タップ深さ制御用筒体の前端開口からタップ治具本体のタップ部を所定寸法だけ突出させたことを特徴とするものである。
【００１０】
本発明の骨用タップ治具の代表的な一つの態様は、タップ深さ制御用筒体を僅かに湾曲させ、該筒体の凹曲側内面の一箇所と、凸曲側内面の上記箇所より前方及び後方にそれぞれ位置する二箇所を、タップ治具本体の軸部の外面に接触させるものであり、他の一つの態様は、タップ深さ制御用筒体の内面又はタップ治具本体の軸部の外面に、一対の凸部を周方向に１８０°の間隔をあけて形成し、該凸部をタップ治具本体の軸部の外面又はタップ深さ制御用筒体の内面に接触させるものである。
【発明の効果】
【００１１】
本発明の骨用タップ治具のように、タップ治具本体の軸部にタップ深さ制御用筒体を外嵌してタップ深さ制御用筒体の内面とタップ治具本体の軸部の外面を少なくとも二箇所で接触させ、その摩擦抵抗でタップ深さ制御用筒体を脱落しないように仮止めした状態で脱着可能に挿着して、タップ深さ制御用筒体の後端をタップ治具本体のハンドル部の前端又は軸部外面に形成した当止部に前方から当止させると共に、タップ深さ制御用筒体の前端開口からタップ治具本体のタップ部（ネジ切り部）を所定寸法だけ突出させたものは、骨折部位又は骨切部位の生体骨にドリルで穴をあけ、その上に重ねた骨接合プレートの穴からタップ治具本体のタップ部を生体骨の穴にねじ込んでタップを切る際に、タップ深さ制御用筒体の前端が骨接合プレートの表面に当たるまでタップ部をねじ込むと、それ以上深くタップ部をねじ込んでタップを切ることが不可能になる。本発明の骨用タップ治具は、このようにタップ深さを制御して、所定のタップ深さ（タップ部の上記突出寸法から骨接合プレートの厚み寸法を差し引いた寸法に等しいタップ深さ）を有するネジ穴を形成できるので、タップ部が生体骨の穴を突き抜けて生体組織を傷つける危険を確実に解消することができる。そして、長さの異なるタップ深さ制御用筒体を外嵌挿着してタップ部の突出寸法を変更することにより、タップ深さの異なるネジ穴を形成することができる。
また、タップ深さ制御用筒体の内面とタップ治具本体の軸部の外面を少なくとも二箇所で接触させ、その摩擦抵抗でタップ治具本体の軸部に仮止め状態で外嵌挿着されるタップ深さ制御用筒体は、小さな力で容易に抜き挿しして簡単に脱着できるものであり、かつ、掃除がし易い単純な筒体であるから、本発明の骨用タップ治具は、前記特許文献２のタップ組立体に比べて、タップ作業前の組立作業（タップ深さ制御用筒体の挿着作業）やタップ作業後の分解、掃除作業（タップ深さ制御用筒体の抜取り作業及び掃除作業）を簡単に行うことができる。
【００１３】
特に、タップ深さ制御用筒体を僅かに湾曲させ、該筒体の凹曲側内面の一箇所と、凸曲側内面の上記箇所より前方及び後方にそれぞれ位置する二箇所を、タップ治具本体の軸部の外面に接触させたものは、上記の作用効果に加えて、タップ深さ制御用筒体を合計三箇所の接触箇所で安定良くタップ治具本体の軸部に仮止め状態で外嵌挿着できる利点がある。しかも、このように僅かに湾曲させたタップ深さ制御用筒体は、曲げ加工以外に何の加工もする必要がないので、加工コストが安く経済的に有利であり、タップ作業後の掃除もし易いので、メンテナンスの面でも有利である。
【００１４】
また、タップ深さ制御用筒体の内面又はタップ治具本体の軸部の外面に、一対の凸部を周方向に１８０°の間隔をあけて形成し、該凸部をタップ治具本体の軸部の外面又はタップ深さ制御用筒体の内面に接触させた骨用タップ治具は、一対の凸部の接触抵抗によってタップ深さ制御用筒体を脱落しないように仮止め状態でタップ治具本体の軸部に外嵌挿着することができ、凸部の高さを変えて接触抵抗を増減すれば、タップ深さ制御用筒体の抜き挿しに要する力を簡単に調節することができる。
【図面の簡単な説明】
【００１５】
【図１】本発明の一実施形態に係る骨用タップ治具の側面図であって、（ａ）は短い方のタップ深さ制御用筒体を外嵌挿着したものを示し、（ｂ）は長い方のタップ深さ制御用筒体を外嵌挿着したものを示す。
【図２】同骨用タップ治具のタップ治具本体と、長さが異なる２本のタップ深さ制御用筒体を示す側面図である。
【図３】同骨用タップ治具のタップ深さ制御用筒体を外嵌挿着した部分の縦断面図である。
【図４】（ａ）（ｂ）はそれぞれ本発明の他の実施形態に係る骨用タップ治具のタップ深さ制御用筒体を外嵌挿着した部分の横断面図である。
【図５】（ａ）（ｂ）（ｃ）はそれぞれタップ深さ制御用筒体の異なる形状の前端開口部を示す部分縦断面図である。
【図６】本発明に係る骨用タップ治具の一使用例の説明図である。
【発明を実施するための形態】
【００１６】
以下、図面に基づいて、本発明に係る骨用タップ治具の代表的な実施形態を詳細に説明する。
【００１７】
この実施形態の骨用タップ治具は、図２に示すように、タップ治具本体１と、長さの異なる２本のタップ深さ制御用筒体２Ｌ，２Ｓとをセットで具備したものである。タップ治具本体１は、手にしっかり握ることができる形状とされたハンドル部１ａと、該ハンドル部１ａの前端から突き出した異径の軸部１ｂと、該軸部１ｂの前端に形成されたタップ部１ｃ（ネジ切り部）とを有するもので、異径軸部１ｂの前端側は小径軸部１０ｂ、後端側は大径軸部１１ｂとされている。そして、小径軸部１０ｂと大径軸部１１ｂの間の段差部１２ｂには前窄まりのテーパーが形成されており、タップ深さ制御用筒体２Ｌ，２Ｓがこのテーパー付きの段差部１２ｂに案内されて大径軸部１１ｂに容易に外嵌挿着できるようになっている。
【００１８】
上記のタップ部１ｃは、ドリルで生体骨にあけた穴の内面にネジ溝を切るためのネジ山１０ｃを小径軸部１０ｂの前端部の外周面に形成したものであって、骨接合ネジのネジ山に対応してタップ部１ｃのネジ山１０ｃの形状、ピッチ、山径、谷径などが設定されており、また、タップ部１ｃの有効長さは骨接合ネジの有効ネジ長さよりも長く設定されている。
【００１９】
タップ治具本体１のハンドル部１ａの材質は限定されないが、例えば、強度の大きい木材、合成樹脂、これらを補強金具で補強したものなどが好適であり、また、軸部１ｂ及びタップ部１ｃの材質は、硬くて錆びにくいステンレス鋼などの金属が好適である。
【００２０】
一方、前記のタップ深さ制御用筒体２Ｌ，２Ｓは、図１（ａ）（ｂ），図３に示すように、タップ治具本体１の異径軸部１ｂに外嵌挿着されるものであって、長い方のタップ深さ制御用筒体２Ｌも短い方のタップ深さ制御用筒体２Ｓも、その筒体後端がタップ治具本体１のハンドル部１ａの前端に形成された当止部１０ａに前方から当止されており、この筒体２Ｌ，２Ｓの前端開口からタップ治具本体１のタップ部１ｃが突き出している。従って、タップ部１ｃの突出寸法は、図１（ａ）に示すように短いタップ深さ制御用筒体２Ｓを外嵌挿着した場合の方が、図１（ｂ）に示すように長いタップ深さ制御用筒体２Ｌを外嵌挿着した場合よりも大きくなっている。本実施形態のような頭蓋骨用のタップ治具では、例えば厚みが１ｍｍの骨接合プレートをネジ長が２．７ｍｍあるいは３．７ｍｍのネジで固定する場合、タップ部１ｃの好ましい突出寸法は３．７ｍｍあるいは４．７ｍｍ程度であるから、短い方のタップ深さ制御用筒体２Ｓを外嵌挿着したときのタップ部１ｃの突出寸法が４．７ｍｍ程度となり、長い方のタップ深さ制御用筒体２Ｌを外嵌挿着したときのタップ部１ｃの突出寸法が３．７ｍｍ程度となるように、異径軸部１ｂとタップ部１ｃの合計長さを考慮して、双方のタップ深さ制御用筒体２Ｌ，２Ｓの長さを設定することが好ましい。このように骨接合プレートの厚みと使用するネジの長さの組み合わせを考慮してタップ深さ制御用筒体の長さを設定したものを揃えることにより、タップ部の突出寸法が容易に変更でき、タップ部が生体骨の穴を突き抜けて生体組織を傷つけることなくタップ深さの異なるネジ穴を形成することができる。
【００２１】
なお、タップ深さ制御用筒体２Ｌ，２Ｓの後端は、タップ治具本体１のハンドル部１ａの前端面を当止部として前方から該前端面に当止させるようにしてもよく、また、異径軸部１ｂの大径軸部１１ｂの後部外面に鍔状の当止部（不図示）を形成して該当止部に前方から当止させるようにしてもよい。
【００２２】
長さの異なるタップ深さ制御用筒体２Ｌ，２Ｓは、いずれも内径や筒壁の厚さが同一とされ、内径は大径軸部１１ｂの直径よりも少し大きくなっている。そして、これらのタップ深さ制御用筒体２Ｌ，２Ｓは、いずれも同一の曲率半径で曲げ加工されて僅かに湾曲しており、図３に示すように、該筒体２Ｌ，２Ｓをタップ治具本体１の異径軸部１ｂに外嵌挿着すると、該筒体２Ｌ，２Ｓの凹曲側内面の一箇所Ｐ１と、凸曲側内面の前記箇所Ｐ１より前方及び後方にそれぞれ位置する二箇所Ｐ２，Ｐ３（Ｐ３は凸曲側内面の後端箇所）が、大径軸部１１ｂの中間部と前後両端部の外面に接触し、これら三箇所Ｐ１，Ｐ２，Ｐ３の摩擦抵抗（接触抵抗）によって、タップ深さ制御用筒体２Ｌ，２Ｓが脱落しないように仮止めされた状態で脱着可能にタップ治具本体１の軸部１ｂに安定良く取付けられるようになっている。
【００２３】
タップ深さ制御用筒体２Ｌ，２Ｓの曲率半径は、該筒体２Ｌ，２Ｓの内径と大径軸部１１ｂの外径との寸法差や、大径軸部１１ｂの長さなどを考慮して、上記三箇所Ｐ１，Ｐ２，Ｐ３で接触するように設定すればよい。その場合、タップ深さ制御用筒体２Ｌ，２Ｓの内径と大径軸部１１ｂの外径との寸法差が大きくなるほど、該筒体２Ｌ，２Ｓの曲率半径は小さくなり、該筒体２Ｌ，２Ｓの前端開口部の内面が異径軸部１ｂの前端のタップ部１ｃに接触することになるので、この接触を回避できるように該筒体２Ｌ，２Ｓの内径と大径軸部１１ｂの外径との寸法差を充分小さく設定することが重要である。
【００２４】
例えば、異径軸部１ｂの長さが６３ｍｍ程度、大径軸部１１ｂの長さが４４ｍｍ程度、その外径が３ｍｍ程度、小径軸部の長さが１９ｍｍ程度、その外径が２ｍｍ程度、タップ部１ｃの長さが８ｍｍ程度、その外径（山径）が２ｍｍ程度に設定された頭蓋骨用のタップ治具を使用して、厚みが１ｍｍの骨接合プレートをネジ長が２．７ｍｍあるいは３．７ｍｍのネジで固定する場合、タップ深さ制御用筒体２Ｌ，２Ｓの内径を３ｍｍ程度、曲率を１〜２°程度、長い方のタップ深さ制御用筒体２Ｌの長さを６７．３ｍｍ程度、短い方のタップ深さ制御用筒体２Ｓの長さを６６．３ｍｍ程度に設定すると、前述したようにタップ深さ制御用筒体２Ｌ，２Ｓの内面が三箇所Ｐ１，Ｐ２，Ｐ３で大径軸部１１ｂに接触して仮止め状態で脱着可能に異径軸部１ｂに挿着され、しかも、該筒体２Ｌ，２Ｓの前端開口部の内面がタップ部１ｃに当たらず、かつ、筒体２Ｌ，２Ｓの前端開口からのタップ部１ｃの突出寸法がそれぞれ３．７ｍｍ程度と４．７ｍｍ程度になり、頭蓋骨に２．７ｍｍあるいは３．７ｍｍのネジ穴を形成するタップ治具を得ることができる。
【００２５】
タップ深さ制御用筒体２Ｌ，２Ｓの筒壁の厚さは特に制限されないが、あまり厚過ぎると曲げ加工がし辛くなり、材料コストも高くなるので、適度な実用的強度を有する厚さ、例えば０．２〜１．０ｍｍ程度とすることが好ましい。また、タップ深さ制御用筒体２Ｌ，２Ｓの材質は、タップ治具本体の異径軸部１ｂ及びタップ部１ｃと同様の錆びにくいステンレス鋼などの金属が好適である。
【００２６】
本実施形態では、双方のタップ深さ制御用筒体２Ｌ，２Ｓの長さの差は１ｍｍ程度であり、双方の筒体２Ｌ，２Ｓを区別することが容易でないため、これらの筒体２Ｌ，２Ｓの外面には識別記号（不図示）を入れることが望ましい。
【００２７】
また、図５（ａ）に示すように、タップ深さ制御用筒体２Ｌ，２Ｓの前端面を凸曲面２ａに形成したり、タップ深さ制御用筒体２Ｌ，２Ｓの前端部に、図５（ｂ）に示すようなフランジ形状の当止部２ｂ、又は、図５（ｃ）に示すようなベルマウス形状の当止部２ｃを形成することも好ましい。このようにすると、後述するように、タップ深さ制御用筒体２Ｌ，２Ｓの前端が骨接合プレートに当たるまで骨用タップ治具のタップ部１ｃを骨接合プレートの穴から生体骨の穴にねじ込んでも、該筒体２Ｌ，２Ｓの前端によって骨接合プレートの表面に傷が付く心配がなくなり、特に、フランジ形状やベルマウス形状の当止部２ｂ，２Ｓを形成した場合は、該筒体２Ｌ，２Ｓが骨接合プレートの穴に一部嵌まり込む心配もなくなる。同様に、タップ深さ制御用筒体２Ｌ，２Ｓの後端も、凸曲面にしたり、フランジ形状又はベルマウス形状の当止部を形成することが好ましい。
【００２８】
以上のような構成の骨用タップ治具は、図６に示すように、頭蓋骨など生体骨３の骨折部位又は骨切部位に重ねた骨接合プレート４の穴４ａから、タップ治具本体１の異径軸部前端のタップ部１ｃを、ドリルで開けた生体骨の穴３ａにねじ込むことにより、穴３ａの内面にタップ（ネジ溝）を切って骨接合ネジ５をねじ込むネジ穴を形成する際に、タップ深さ制御用筒体２Ｌ又は２Ｓの前端が骨接合プレート４の表面に当たるまでタップ部１ｃをねじ込むと、それ以上深くタップ部１ｃをねじ込んでタップを切ることが不可能になる。そのため、タップ深さが制御され、所定のタップ深さ（タップ部１ｃの突出寸法から骨接合プレート４の厚さ寸法を差し引いた寸法に等しいタップ深さ）を有するネジ穴が形成されるので、タップ部１ｃが生体骨３の穴３ａを突き抜けて下側の髄膜６や脳７などの生体軟組織を損傷する危険を確実に解消することができる。そして、長さの異なるタップ深さ制御用筒体２Ｌと２Ｓを交換して異径軸部に外嵌挿着すると、タップ部１ｃの突出寸法が変更されるので、タップ深さの異なるネジ穴を形成することができる。
【００２９】
また、タップ深さ制御用筒体２Ｌ，２Ｓは、前述したように内面の三箇所Ｐ１，Ｐ２，Ｐ３で異径軸部１ｂの大径軸部１１ｂに接触し、その摩擦抵抗（接触抵抗）によって脱落しないように仮止め状態で安定良く外嵌挿着されているため、小さな力で容易に抜き挿しして簡単に脱着することができ、しかも、僅かに湾曲した掃除がし易い筒体であるから、この骨用タップ治具はタップ作業前の組立作業（タップ深さ制御用筒体２Ｌ，２Ｓの挿着作業）やタップ作業後の分解、掃除作業（タップ深さ制御用筒体２Ｌ，２Ｓの抜取り作業及び掃除作業）を簡単に行うことができる。
【００３０】
前記実施形態の骨用タップ治具は、タップ深さ制御用筒体２Ｌ，２Ｓを僅かに湾曲させて、その内面の三箇所Ｐ１，Ｐ２，Ｐ３を異径軸部１ｂの大径軸部１１ｂに接触させることにより、タップ深さ制御用筒体２Ｌ，２Ｓを異径軸部１ｂに脱落しないように仮止めした状態で脱着可能に外嵌挿着しているが、本発明の骨用タップ治具は、タップ深さ制御用筒体２Ｌ，２Ｓの内面とタップ治具本体１の異径軸部１ｂの外面を少なくとも二箇所で接触させることによって、タップ深さ制御用筒体２Ｌ，２Ｓを異径軸部１ｂに脱落しないように仮止めした状態で脱着可能に外嵌挿着したものでもよい。
【００３１】
図４（ａ）（ｂ）はその代表的な態様を示すもので、（ａ）は真っ直ぐなタップ深さ制御用筒体２Ｌ，２Ｓの内面に一対の凸部２ｄ，２ｄを周方向に１８０°の間隔をあけて形成し、これらの凸部２ｄ，２ｄを異径軸部１ｂの外面に接触させることによって、タップ深さ制御用筒体２Ｌ，２Ｓを異径軸部１ｂに脱落しないように仮止めした状態で脱着可能に外嵌挿着したものである。また、（ｂ）は異径軸部１ｂの外面に一対の凸部１３ｂ，１３ｂを周方向に１８０°の間隔をあけて形成し、これらの凸部を真っ直ぐなタップ深さ制御用筒体２Ｌ，２Ｓの内面に接触させることによって、タップ深さ制御用筒体２Ｌ，２Ｓを異径軸部１ｂに脱落しないように仮止めした状態で脱着可能に外嵌挿着したものである。
【００３２】
図４（ａ）（ｂ）のように、一対の凸部２ｄ，２ｄ又は１３ｂ，１３ｂを接触させてタップ深さ制御用筒体２Ｌ，２Ｓを異径軸部１ｂに外嵌挿着したものも、小さな力でタップ深さ制御用筒体を容易に抜き挿しして簡単に脱着することができ、また、凸部２ｄ又は１３ｂの高さを変えて接触抵抗を増減すれば、タップ深さ制御用筒体２Ｌ，２Ｓの抜き挿しに要する力を簡単に調節することもできる。
【００３３】
なお、タップ深さ制御用筒体２Ｌ，２Ｓの内面又はタップ治具本体１の異径軸部１ｂの外面に、凸部２ｄ又は１３ｂを周方向に等角度間隔をあけて３箇所以上形成し、これらの凸部２ｄ又は１３ｂを異径軸部１ｂの外面又はタップ深さ制御用筒体２Ｌ，２Ｓの内面に接触させるようにしても勿論よい。
【符号の説明】
【００３４】
１    タップ治具本体
１ａ  ハンドル部
１ｂ  軸部（異径軸部）
１ｃ  タップ部
１０ａ  当止部
１３ｄ  凸部
２Ｌ，２Ｓ  タップ深さ制御用筒体
２ｄ  凸部
３    生体骨（頭蓋骨）
３ａ  生体骨にあけた穴
４    骨接合プレート
４ａ  骨接合プレートの穴
５    骨接合ネジ
６    髄膜
７    脳
【図１】
0005797898.tif 000002
【図２】
0005797898.tif 000003
【図３】
0005797898.tif 000004
【図４】
0005797898.tif 000005
【図５】
0005797898.tif 000006
【図６】
0005797898.tif 000007